(57)【要約】【課題】自動体外式除細動器の使用の要否を適切に判断することにより、その使用を躊躇する救助者を支援して救命率を向上し、患者のプライバシーも保護する。【解決手段】自動体外式除細動器２と携行可能とされた救援支援装置３は、患者に装着可能なセンサ部３１を備える。判定部３３は、センサ部３１が取得した当該患者の血流に係る情報に基づいて、自動体外式除細動器２を使用することの要否を判定する。出力部３４は、判定部３２が判定した使用要否に係る情報を救助者に報知する。【選択図】図２
2014124316.tif 000002
【特許請求の範囲】
【請求項１】
患者に装着可能とされ、当該患者の血流に係る情報を取得するセンサ部と、
前記血流に係る情報に基づいて、自動体外式除細動器を使用することの要否を判定する判定部と、
前記判定部が判定した前記要否に係る情報を救助者に報知する出力部とを備える、救命支援装置。
【請求項２】
前記センサ部は、パルスオキシメータの少なくとも一部である、請求項１に記載の救命支援装置。
【請求項３】
前記センサ部は、超音波、電磁波、レーザ光のいずれかを用いる計測器の少なくとも一部である、請求項１に記載の救命支援装置。
【請求項４】
前記出力部は、前記センサ部が取得した前記血流に係る情報を出力可能とされている、請求項１から３のいずれか一項に記載の救命支援装置。
【請求項５】
前記出力部は、前記血流に係る情報を対応付けられた自動体外式除細動器に対して送信可能とされている、請求項４に記載の救命支援装置。
【請求項６】
自動体外式除細動器とともに収容される箱体からの搬出を検知する搬出検知部と、
前記検知部が前記搬出を検知した場合に、起動処理を実行する制御部とを備える、請求項１から５のいずれか一項に記載の救命支援装置。
【請求項７】
対応付けられた自動体外式除細動器が起動されたことを検知する起動検知部と、
当該自動体外式除細動器が起動されたことを前記起動検知部が検知した場合に、起動処理を実行する制御部とを備える、請求項１から５のいずれか一項に記載の救命支援装置。
【請求項８】
対応付けられた自動体外式除細動器が起動されたことを検知する起動検知部を備え、
前記判定部が当該自動体外式除細動器の使用が必要と判定した場合、前記出力部は、当該自動体外式除細動器が起動されたことを前記起動検知部が検知するまで、当該使用を促す情報の報知を継続する、請求項１から６のいずれか一項に記載の救命支援装置。
【請求項９】
自動体外式除細動器と、
前記自動体外式除細動器と携行可能とされた救命支援装置と、
前記自動体外式除細動器および前記救命支援装置を収容する箱体とを備え、
前記救命支援装置は、
患者に装着可能とされ、当該患者の血流に係る情報を取得するセンサ部と、
前記血流に係る情報に基づいて、前記自動体外式除細動器を使用することの要否を判定する判定部と、
前記判定部が判定した前記要否に係る情報を救助者に報知する出力部と、
前記救命支援装置が前記箱体から搬出されたことを検知する搬出検知部と、
前記救命支援装置が前記箱体から搬出されたことを前記検知部が検知した場合に、前記救命支援装置の起動処理を実行する制御部とを備える、救命支援システム。
【請求項１０】
自動体外式除細動器と、
前記自動体外式除細動器と携行可能とされた救命支援装置とを備え、
前記救命支援装置は、
患者に装着可能とされ、当該患者の血流に係る情報を取得するセンサ部と、
前記血流に係る情報に基づいて、前記自動体外式除細動器を使用することの要否を判定する判定部と、
前記判定部が判定した前記要否に係る情報を救助者に報知する出力部と、
前記自動体外式除細動器が起動されたことを検知する起動検知部と、
前記自動体外式除細動器が起動されたことを前記起動検知部が検知した場合に、前記救命支援装置の起動処理を実行する制御部とを備える、救命支援システム。
【発明の詳細な説明】
【技術分野】
【０００１】
本発明は、自動体外式除細動器（Automatic External Defibrillator；ＡＥＤ）を使用することの要否を判定するための救命支援装置、および少なくとも当該救命支援装置とＡＥＤを備えて構成される救命支援システムに関する。
【０００２】
ＡＥＤは、心室細動や脈のない心室頻拍といった致死性不整脈が検出された患者に対して電気ショックを実施することにより、当該患者を蘇生させるための装置である。具体的には、患者の意識および呼吸がない場合に、裸にした当該患者の胸部にＡＥＤが備える電極パッドを貼り付ける。ＡＥＤは、当該電極パッドを通じて取得された心電図を解析し、致死性不整脈を検出する（例えば、特許文献１を参照）。
【先行技術文献】
【特許文献】
【０００３】
【特許文献１】特開２０１２−６１３６１号公報
【発明の概要】
【発明が解決しようとする課題】
【０００４】
医療従事者でない一般市民が倒れている患者を目の前にしたとき、ＡＥＤを運んでくることはできても、使用に踏み切ることを躊躇するのが普通である。特に死戦期にある患者は、心肺停止状態にありながら喘ぎ呼吸という独特の呼吸をするため、正しく意識および呼吸がない状態であると判断することが難しい。結果として電気ショックの適用が遅れることがあり、救命率低下の一因となっている。
【０００５】
また意識のない患者には、脳障害、低血糖、出血性ショック、溺水、一酸化炭素中毒などの原因とする者が含まれている。このような患者に対してはＡＥＤの使用は必要ないものの、その正確な判断は一般市民にとって困難である。したがって公衆の面前で不必要に胸部を裸にされるなど、患者のプライバシー保護が十分でなくなる場合がある。また胸部を裸にするという処置の必要性が、ＡＥＤの使用を躊躇させる一因ともなっている。
【０００６】
よって本発明は、ＡＥＤ使用の要否を適切に判断することにより、ＡＥＤの使用を躊躇する救助者を支援して救命率を向上し、患者のプライバシーも保護しうる技術を提供することを目的とする。
【課題を解決するための手段】
【０００７】
上記の目的を達成するために本発明がとりうる第１の態様は、救命支援装置であって、
患者に装着可能とされ、当該患者の血流に係る情報を取得するセンサ部と、
前記血流に係る情報に基づいて、自動体外式除細動器を使用することの要否を判定する判定部と、
前記判定部が判定した前記要否に係る情報を救助者に報知する出力部とを備える。
【０００８】
このような構成によれば、自動体外式除細動器を使用してよいのか判断をしかねている救助者に対して、その要否についての適切な情報を提供し、救命措置の支援を行なうことができる。特に一刻を争う使用が必要と判断された場合において、救助者に使用行為を強く促すことができる。一方使用が必要ないと判断された場合においては、患者の衣服を不必要に脱がすことが避けられるため、当該患者のプライバシーを守ることができる。
【０００９】
前記センサ部は、パルスオキシメータの少なくとも一部、または超音波、電磁波、レーザ光のいずれかを用いる計測器の少なくとも一部である構成としてもよい。
【００１０】
このようなセンサ部の場合、患者の額、指先、頸部、腕部、脚部などに装着することができるため、患者の肌の露出を最小限に抑えて血流に係る情報を取得することができる。特に体動の影響を受けにくい患者の額にパルスオキシメータを装着する場合、簡易な構成を用いつつも血流に係る情報取得の確実性を向上できる。
【００１１】
前記出力部は、前記センサ部が取得した前記血流に係る情報を出力可能とされている構成としてもよい。
【００１２】
このような構成によれば、例えば電気ショックを与えた後に当該情報を出力させることにより、患者の容態がどのように変化したかを救助者が知ることができる。
【００１３】
前記出力部は、前記血流に係る情報を対応付けられた自動体外式除細動器に対して送信可能とされている構成としてもよい。
【００１４】
このような構成によれば、当該情報を自動体外式除細動器の動作に反映させるシステムを構成することができる。
【００１５】
自動体外式除細動器とともに収容される箱体からの搬出を検知する搬出検知部と、前記検知部が前記搬出を検知した場合に、起動処理を実行する制御部とを備える構成としてもよい。
【００１６】
このような構成によれば、箱体から自動対外式除細動器を搬出するとともに救命支援装置が起動されるため、患者が倒れている現場に到着次第、すぐに救命支援装置を使用することができる。救命措置を一秒でも早く開始できることは、救命率の向上に寄与する。
【００１７】
したがって上記の目的を達成するために、本発明がとりうる第２の態様は、救命支援システムであって、
自動体外式除細動器と、
前記自動体外式除細動器と携行可能とされた救命支援装置と、
前記自動体外式除細動器および前記救命支援装置を収容する箱体とを備え、
前記救命支援装置は、
患者に装着可能とされ、当該患者の血流に係る情報を取得するセンサ部と、
前記血流に係る情報に基づいて、前記自動体外式除細動器を使用することの要否を判定する判定部と、
前記判定部が判定した前記要否に係る情報を救助者に報知する出力部と、
前記救命支援装置が前記箱体から搬出されたことを検知する搬出検知部と、
前記救命支援装置が前記箱体から搬出されたことを前記検知部が検知した場合に、前記救命支援装置の起動処理を実行する制御部とを備える。
【００１８】
ここで、対応付けられた自動体外式除細動器が起動されたことを検知する起動検知部を備え、前記判定部が当該自動体外式除細動器の使用が必要と判定した場合、前記出力部は、当該自動体外式除細動器が起動されたことを前記起動検知部が検知するまで、当該使用を促す情報の報知を継続する構成としてもよい。
【００１９】
このような構成によれば、躊躇する救助者に対して使用を強く促す作用が期待できるとともに、使用ができる別の救助者に代替するなどして、自動体外式除細動器の使用に至る確実性を向上させることができる。
【００２０】
あるいは、対応付けられた自動体外式除細動器が起動されたことを検知する起動検知部と、当該自動体外式除細動器が起動されたことを前記起動検知部が検知した場合に、起動処理を実行する制御部とを備える構成としてもよい。
【００２１】
救助者は、患者が倒れている現場に自動体外式除細動器を運び次第、先ずはこれを起動することが通常である。したがって救命措置の開始を遅らせることなく、搬出を検知する構成が省略された、より低コストの救命支援装置を提供することができる。
【００２２】
したがって上記の目的を達成するために、本発明がとりうる第３の態様は、救命支援システムであって、
自動体外式除細動器と、
前記自動体外式除細動器と携行可能とされた救命支援装置とを備え、
前記救命支援装置は、
患者に装着可能とされ、当該患者の血流に係る情報を取得するセンサ部と、
前記血流に係る情報に基づいて、前記自動体外式除細動器を使用することの要否を判定する判定部と、
前記判定部が判定した前記要否に係る情報を救助者に報知する出力部と、
前記自動体外式除細動器が起動されたことを検知する起動検知部と、
前記自動体外式除細動器が起動されたことを前記起動検知部が検知した場合に、前記救命支援装置の起動処理を実行する制御部とを備える。
【図面の簡単な説明】
【００２３】
【図１】本発明の第１の実施形態に係る救命支援システムを模式的に示す図である。
【図２】図１の救命支援システムの具体的な構成を示す機能ブロック図である。
【図３】自動体外式除細動器と救命支援装置の使用態様例を模式的に示す図である。
【図４】本発明の第２の実施形態に係る救命支援システムの具体的な構成を示す機能ブロック図である。
【発明を実施するための形態】
【００２４】
本発明の実施形態を添付の図面を参照しつつ以下詳細に説明する。なお以下の説明に用いる各図面では、各部材を認識可能な大きさとするために縮尺を適宜変更している。
【００２５】
図１は、本発明の第１の実施形態に係る救命支援システム１を模式的に示す図である。救命支援システム１は、自動体外式除細動器（以下ＡＥＤと略記する）２、救命支援装置３、および箱体４からなる。ＡＥＤ２は、周知の構成を有するものである。
【００２６】
箱体４は、収容空間４ａ、および当該収容空間４ａを閉塞する扉体４ｂを備えている。箱体４は、ＡＥＤ２および救命支援装置３を収容空間４ａに収容した状態で所定の場所に設置されている。救命支援装置３は、ＡＥＤ２と携行可能な状態とされている。救命を要する事態が発生すると、救助者は扉体４ｂを開いてＡＥＤ２および救命支援装置３を箱体４から搬出する。
【００２７】
図２は、上記の救命支援システム１の具体的な構成を示す機能ブロック図である。救命支援装置３は、センサ部３１、制御部３２、判定部３３、出力部３４、入力部３５、搬出検知部３６、および起動検知部３７を備えている。本実施形態においては、これらの構成要素は全て単一の筺体３ａ内に配置されている。図３に示すように、救命支援装置３は、患者としての患者１０の額１０ａに装着して使用される。したがって筺体３ａは、額１０ａに装着可能なサイズと形状を有している。
【００２８】
センサ部３１は、図示しない発光部と受光部を有する周知のパルスオキシメータである。発光部は患者１０の額１０ａに対向するように配置され、血液が吸収帯を有する波長の光を照射する。受光部も額１０ａに対向するように配置され、血液による吸収を受けた反射光または透過光を受光する。受光部は、受光した光の強度に応じた信号を出力するように構成されている。
【００２９】
すなわちセンサ部３１は、本発明の血流に係る情報としての脈拍の有無を検出することができる。心臓の拍動が停止していなければ血流が存在し、血流が存在すれば拍動に伴って血液の厚みが変化し、血液の厚み変化に伴って光吸収の度合い、すなわち受光強度が変化するためである。
【００３０】
制御部３２は、各種演算処理を実行するＣＰＵ、各種制御プログラムを格納するＲＯＭ、データ格納やプログラム実行のためのワークエリアとして利用されるＲＡＭ等を備え、救命支援装置３の各部を制御する。
【００３１】
判定部３３は、制御部３２により実現される機能ブロックの１つである。判定部３３は、センサ部３１が検出した脈拍の有無に基づいて、ＡＥＤ２を使用することの要否を判定する。
【００３２】
前述のように、患者の意識喪失には様々な原因があり、ＡＥＤ２を用いて電気ショックを与えることを必要としない場合がある。心源性の意識喪失は、電気ショックを与える必要がある場合であって、脈拍が存在しない事実をもってこれを判断することができる。脳障害、多量出血、低血糖、貧血、低炭酸ガスなどを原因とする意識喪失は、電気ショックを与える必要のない（与えてはならない）場合であって、脈拍が存在する事実をもってこれを判断することができる。
【００３３】
したがって判定部３３は、センサ部３１により脈拍が存在しない事実が検出された場合に、ＡＥＤ２の使用が必要であると判断し、センサ部３１により脈拍が存在する事実が検出された場合に、ＡＥＤ２の使用は必要ないと判断するように構成されている。
【００３４】
出力部３４は、判定部３３が判定したＡＥＤ２の使用の要否を救助者に報知するように構成されている。報知は、聴覚的な報知（ガイダンスメッセージ、メロディ、ビープ音など）と視覚的な報知（ＬＥＤの発光、ディスプレイにメッセージを表示など）の少なくとも一方を用いて、様々な態様で行なうことができるように構成されている。
【００３５】
入力部３５は、センサ部３１による検出動作の開始を含む各種指示を入力可能に構成されている。制御部３２は、入力部３５を通じて入力される救助者からの指示に応じて救命支援装置３の各部を制御するように構成されている。
【００３６】
搬出検知部３６は、救命支援装置３が箱体４から搬出されたことを検出するように構成されている。具体的には、搬出検知部３６は、救命支援装置３がＡＥＤ２とともに箱体４から搬出される際の振動を検出する振動センサを備えている。制御部３２は、搬出検知部３６が当該搬出の事実を検知した場合に、救命支援装置３の起動処理を実行するように構成されている。このとき、例えば「センサを額に装着して下さい。」というガイド音声が出力される。
【００３７】
起動検知部３７は、救命支援装置３に対応付けられたＡＥＤ２が起動されたことを検知するように構成されている。具体的には、起動検知部３７は、ＡＥＤ２が起動されることにより発生する電磁波を検出するアンテナを備えている。判定部３３がＡＥＤ２の使用が必要と判定した場合、制御部３２は、起動検知部３７が当該起動の事実を検知するまで、出力部３４を通じたＡＥＤ２の使用を促す報知を継続させるように構成されている。このとき、例えば「ＡＥＤを起動して、その指示に従って下さい。」というガイド音声が出力される。
【００３８】
救命を要する事態が発生したとき、救助者は所定の場所に設置された箱体４の扉４ｂを開き、収容空間４ａからＡＥＤ２および救命支援装置３を搬出する。このときに生ずる振動により救命支援装置３が起動されるため、患者が倒れている現場に到着次第、すぐに救命支援装置３を使用することができる。救命措置を一秒でも早く開始できることは、救命率の向上に寄与する。
【００３９】
図３に示すように、救助者は患者１０の額１０ａに救命支援装置３を装着してから入力部３５を操作し、センサ部３１による脈拍検出処理の開始を指示する。センサ部３１は血流の有無（血液の厚み変化の有無）を受光部による受光強度の変化の有無を通じて検出する。判定部３３は、検出された脈拍の有無に応じて、ＡＥＤ２使用の要否を判定する。
【００４０】
判定結果は、出力部３４を通じて救助者に報知される。脈拍が検出されなかった場合、例えば「脈を検出できません。ＡＥＤを使用して下さい。」というガイド音声が出力されたり、表示装置の少なくとも一部が緑色に発光したりする。脈拍が検出された場合、「脈を検出しました。ＡＥＤを使用しないで下さい。」というガイド音声が出力されたり、表示装置の少なくとも一部が赤色に発光したりする。
【００４１】
本実施形態の救命支援装置３は、患者１０の額１０ａに装着して脈拍を検出できるパルスオキシメータを備えているため、使用に際して患者１０の衣服を脱がす必要がない。また額１０ａは体動の影響を受けにくい箇所であるため、脈拍の有無を正確に検出することができる。したがってＡＥＤ２の使用が必要である場合は、救助者に対して適切な指示を提供することができる。一方ＡＥＤ２の使用が不要である場合は、患者１０の衣服を不必要に脱がすことが避けられるため、患者１０のプライバシーを守ることができる。
【００４２】
またＡＥＤ２の使用を促す報知は、救助者がＡＥＤ２を起動したことが起動検知部３７に検知されるまで継続される。したがって躊躇する救助者に対して使用を強く促す作用が期待できるとともに、使用ができる別の救助者に代替するなどして、ＡＥＤ２の使用に至る確実性を向上させることができる。
【００４３】
ＡＥＤ２の起動が起動検知部３７により検知されると、制御部３２は出力部３４を通じた報知を停止する。救助者は、以降ＡＥＤ２が出力するガイド音声に従い、図３に示すように、裸にした患者１０の胸部に電極パッド２ａ、２ｂを貼り付け、必要に応じて患者１０に電気ショックを与える。
【００４４】
救命支援装置３の出力部３４は、必要に応じて入力部３５から所定の指示を与えることにより、センサ部３１が取得した血流に係る情報、すなわち脈拍の有無や動脈血酸素飽和度の検出結果を出力できるように構成されている。例えば電気ショックを与えた後に当該情報を出力させることにより、患者１０の容態がどのように変化したかを救助者が知ることができる。
【００４５】
本実施形態に係る救命支援システム１は、既存のＡＥＤ２および箱体４に何ら変更を加えることなく構成可能である。すなわち、既に設置済みのＡＥＤ２を新規な製品に交換することなく、救命支援装置３を当該ＡＥＤ２と携行可能に設置するのみでよい。これにより、救助者のＡＥＤ２使用に対する躊躇を抑制し、救命率の向上を図りうる救命システム１を、最小限の追加コストで構成することができる。
【００４６】
次に図４を参照しつつ、本発明の第２の実施形態に係る救命支援システム１Ａについて説明する。第１の実施形態と実質的に同一または同様の構成には同一の参照番号を付与し、繰り返しとなる説明は省略する。本実施形態の救命支援システム１Ａは、救命支援装置３Ａが搬出検知部３６を備えていない点において、第１の実施形態に係る救命支援システム１と相違する。
【００４７】
本実施形態に係る救命支援装置３Ａの制御部３２Ａは、当該救命支援装置３Ａに対応付けられたＡＥＤ２が起動されたことを起動検知部３７が検知した場合に、救命支援装置３Ａの起動処理を実行するように構成されている。
【００４８】
救助者は、患者が倒れている現場にＡＥＤ２を運び次第、先ずはＡＥＤ２を起動することが通常である。したがって救命措置の開始を遅らせることなく、搬出検知部３６に係る構成が省略された、より低コストの救命支援装置３Ａを提供することができる。また箱体４を含まずに、ＡＥＤ２と救命支援装置３Ａのみで救命支援システム１Ａを構成することができる。
【００４９】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【００５０】
センサ部３１が装着される箇所は、必ずしも患者１０ａの額１０ａであることを要しない。透過型のパルスオキシメータが、指先１０ｂに装着される構成としてもよい。この場合においても、患者１０の衣服を脱がすことなく脈拍検出処理を実行することができる。
【００５１】
センサ部３１は、必ずしもパルスオキシメータであることを要しない。血流に係る情報を取得しうる限りにおいて、センサ部３１は、超音波、電磁波、レーザ光のいずれかを用いる計測器（超音波血流計、電磁血流計、レーザ血流計、ドップラ血流計など）の少なくとも一部として構成してもよい。この場合、センサ部３１は、患者１０の頸部１０ｃ、腕部１０ｄ、または脚部１０ｅに装着される。いずれの場合においても、患者１０の肌の露出を最小限に抑えて脈拍検出処理を実行することができる。
【００５２】
センサ部３１は、必ずしもその全体が救命支援装置３（３Ａ）の筺体３ａ内に収容されることを要しない。少なくとも患者の肌に装着される部分を筺体３ａの外部に設け、血流の状態を示す信号を、有線または無線通信を通じて制御部３２に対し出力する構成としてもよい。
【００５３】
搬出検出部３６は、必ずしも振動センサであることを要しない。これに代えて、加速度センサを備える構成としても同様の作用が得られる。あるいは、例えば図２において破線で示すように、ＡＥＤ２および救命支援装置３の搬出に伴って状態が変化する搬出検知機構５を設けることができる。搬出検知機構５の例としては、マグネットを箱体４に設置するとともに搬出検知部３６を磁気センサで構成し、救命支援装置３がマグネットから引き離されて磁気センサが検出する磁力が所定値を下回ることをもって、搬出が検知される構成が考えられる。また救命支援装置３が箱体４から引き離されることにより、電気的に切断あるいは接続されるスイッチ機構を設ける構成としてもよい。
【００５４】
図２から図４に破線で示すように、救命支援装置３（３Ａ）と有線または無線通信が可能な通信部２ｃをＡＥＤ２が備える構成としてもよい。この場合、ＡＥＤ２が起動されたことを示す信号を通信部２ｃから起動検知部３７に送信し、起動検知部３７が当該信号を受信したことをもって制御部３２（３２Ａ）がＡＥＤ２の起動を検知する構成とすることができる。この場合、ＡＥＤ２の起動検出に伴って救命支援装置３（３Ａ）において実行される処理を確実なものとすることができる。
【００５５】
またセンサ部３１が取得した血流に係る情報を、出力部３４と通信部２ｃを介してＡＥＤ２に対して送信する構成としてもよい。この場合、当該情報をＡＥＤ２の動作に反映させるシステムを構成することができる。
【００５６】
出力部３４より出力される情報は、判定部３３により判定されたＡＥＤ２使用の要否に係る情報や、センサ部３１により取得された血流に係る情報に限られない。例えば、ＡＥＤ２の使用が必要ないと判定された場合に、医療従事者の到着までに必要な処置を案内する音声を出力したり、患者１０の容態を把握するために必要な質問を出力して簡易問診を行なわせる構成としてもよい。
【符号の説明】
【００５７】
１、１Ａ：救命支援システム、２：自動体外式除細動器（ＡＥＤ）、３、３Ａ：救命支援装置、４：箱体、３１：センサ部、３２、３２Ａ：制御部、３３：判定部、３４：出力部、３６：搬出検知部、３７：起動検知部
【図１】
2014124316.tif 000003
【図２】
2014124316.tif 000004
【図３】
2014124316.tif 000005
【図４】
2014124316.tif 000006